【事件の表示】
　平成　８年特許願第２６７３５１号「間欠スロー制御装置」拒絶査定不服審判事件〔平成　９年１０月１４日出願公開、特開平　９−２７０１６０〕について、次のとおり審決する。
【結　論】
　本件審判の請求は、成り立たない。
【理　由】
１．手続の経緯・本願発明
　本願は、平成８年１０月８日（優先権主張平成８年１月３１日）の出願であって、その請求項１〜７に係る発明は、特許請求の範囲の請求項１〜７に記載された事項により特定されるとおりのものであって、その請求項１に係る発明（以下、「本願発明」という。）は、次のとおりのものである。
　
　
「キャプスタンモータに起動パルスと制動パルスを交互に供給して磁気テープを間欠駆動し、回転ドラムに取り付けた磁気ヘッドにより映像信号を読み取る磁気記録再生装置の間欠スロー制御装置において、 上記回転ドラムを駆動する電圧を制御するドラム制御手段を有し、上記キャプスタンモータの起動時に、上記ドラム制御手段は上記ドラムを駆動する電圧を所定の値大きく設定することを特徴とする間欠スロー制御装置。」
　
　
２．引用例に記載された発明
１）第１引用例
　これに対して、原査定の拒絶の理由で引用された実願平２−７８３６５号（実開平４−３５２３４号）のマイクロフィルム（以下、「第１引用例」という。）には、図面とともに次の技術事項が記載されている。
（ａ）
「（１）キヤプスタンモータに起動パルスと制動パルスを交互に供給してテープを間欠駆動すると共に、テープ走行起動時に起動タイミングパルスをヘツドモータに供給し回転ヘツドの回転を加速し、テープ走行制動時に制動タイミングパルスをヘツドモータに供給し回転ヘツドの回転を減速する磁気再生装置に於て、
  前記キヤプスタンモータの回転検出パルス周期の変化量を検出する周期変化検出手段と、
  前記変化量が所定値以上に達している期間中に、前記起動タイミングパルスを発生するタイミングパルス発生手段とを、
　それぞれ配してなる回転ヘツドの回転速度制御回路。」（実用新案登録請求の範囲）
　
（ｂ）
「（イ）産業上の利用分野
　本考案は、間欠駆動の可能な磁気再生装置に採用する回転ヘッドの回転制御回路に関する」（明細書第１頁第２０行〜同第２頁第２行）
　
（ｃ）
「（ヘ）実施例
　以下、本考案をＶＨＳ方式のビデオテープレコーダに採用した一実施例について説明する。
　第１図は本実施例のモータ駆動回路ブロック図を示す。定速走行時はサーボ回路として機能するマイクロコンピュータが作動し、第１位相制御手段１が基準信号ＲＥＦと再生コントロールパルスＣＰとを位相比較し第１位相制御出力を発生し、第１速度制御手段２がキャプスタンモータ７の回転検出パルスの周期に応じて第１回転制御出力を発生する。また、第２位相制御手段４が基準信号ＲＥＦと回転ヘッドの回転より検出されるヘッド出力切換パルスＲＦとを位相比較し第２位相制御出力を発生し、第２速度制御手段５がヘッドモータ８の回転検出パルスの周期に応じて第２回転制御出力を発生する。
　その結果パルス幅変調されて得られる第１位相制御出力と第１回転制御出力は、キャプスタンドライブ回路３に供給されてアナログの信号に変換された後、ドライブ信号としてキャプスタンモータ７に供給される。同様にして、パルス幅変調されて得られる第２位相制御出力と第２回転制御出力もシリンダドライブ回路６に供給されてアナログの信号に変換された後、ドライブ信号としてシリンダモータ８に供給される。」（明細書第３頁第１２行〜同第４頁第１６行）
　
（ｄ）
「上述する構成に加えて本実施例では、間欠駆動のためのマイクロコンピュータを設けており、ヘッド出力切換パルスＲＦを入力する第１起動パルス発生手段９は、ヘッド出力切換パルスＲＦを所定期間遅延した所定幅の第１起動パルスを発生し、再生コントロールパルスＣＰを入力する制動パルス発生手段１０は、再生コントロールパルスＣＰを所定期間遅延した所定幅の制動パルスを発生する。
　この第１起動パルスと制動パルスは前記キャプスタンドライブ回路３に供給され、該キャプスタンドライブ回路３から第２図に示す様なキャプスタンドライブ出力を前記キャプスタンモータ７に供給する。同時に制動パルスは、該キャプスタンモータ７の極性反転端子にも入力され、制動時にはキャプスタンを逆転駆動する。」（明細書第５頁第１行〜同第１６行）
　
（ｅ）
「一方、キャプスタンモータ７の回転検出パルスを入力する第１速度制御手段２は、回転検出パルス周期データを加速度検出手段１１に供給され、回転検出パルス周期データの変化量を表す加速度データに変換される。
　この加速度データを入力する第２起動（タイミング）パルス発生手段１２は、一定量以上の加速度データの発生期間に対応してハイレベルとなる第２起動（タイミング）パルスを発生する（第２図参照）
　前記シリンダドライブ回路６は、この第２起動パルスを入力して加速パルスを発生し、制動（タイミング）パルスを入力して減速パルスを発生している。
　その結果、ヘッドモータの回転速度は、第２図に図示する様に、第２起動パルス発生時に加速され制動パルス発生時に減速される。」（明細書第５頁第１７行〜同第６頁第１３行）
　
（ｆ）
「（ト）考案の効果
　よって、本考案によれば間スロー再生時の起動に際して必ずテープの加速度状態に対応してヘッドモータの加速が為されるため、テープ駆動時の横揺は解消され、その効果は大である。」（明細書第６頁第１４行〜同第１８行）
　
　上記記載事項及び図面の記載を総合勘案すると、結局、上記第１引用例には、次の発明が記載されている。
　
「キヤプスタンモータに起動パルスと制動パルスを交互に供給してテープを間欠駆動すると共に、テープ走行起動時に起動タイミングパルスをヘツドモータに供給し回転ヘツドの回転を加速し、テープ走行制動時に制動タイミングパルスをヘツドモータに供給し回転ヘツドの回転を減速するビデオテープレコーダに於て、
  前記キヤプスタンモータの回転検出パルス周期の変化量を検出する周期変化検出手段と、
  前記変化量が所定値以上に達している期間中に、前記起動タイミングパルスを発生するタイミングパルス発生手段と、
　定速走行時は第２位相制御手段４と第２速度制御手段５からの出力が供給されヘッドモータを制御し、さらに、テープ走行起動時には前記起動タイミングパルスが入力されるシリンダドライブ回路６とを有し、
　前記シリンダドライブ回路６は、テープ走行起動時に起動タイミングパルスが入力されるとヘッドモータに加速パルスを発生することで回転ヘッドの回転を加速するビデオテープレコーダ。」
　
２）第２引用例
　また、同じく原査定の拒絶の理由で引用された特開昭６３−２４４３５５号公報（以下、「第２引用例」という。）には、図面とともに次の技術事項が記載されている。
　
（ｇ）
「Ａ　産業上の利用分野
　この発明は回転ヘッド式再生装置に関し、特に、例えばＶＴＲにおいていわゆるノイズレススチル再生や間欠送りスロー再生を行う場合に使用して好適な装置に関する。」（公報第１頁右下欄第１２行〜同第１６行）
　
（ｈ）
「この場合の速度補正信号は、第５図Ｅに示すように、キャプスタンドライブ信号ＯＮの立ち上がりを前縁として、ブレーキをかけ始める時点を後縁とするステップ状の信号とされ、このときのドラム回転速度、つまりヘッド回転速度は同図Ｆのように変化し、ヘッドの相対速度がほぼ一定となるようにされる。」（公報第３頁右上欄第１８行〜同左下欄第４行）
　
（ｉ）
「すなわち、ドラム補正信号発生回路（１９）からはキャプスタンドライブ信号ＯＮが立ち上がると同時に零より高い所定のエラー電圧が出力され、ドラム速度が上げ始められる。」（公報第５頁右下欄第３行〜同第６行）
　
　
３．対　比
　
　本願発明と上記第１引用例に記載された発明とを対比する。
　
　ビデオテープレコーダにおける「回転ヘッド」とは、「回転ドラム」に「磁気ヘッド」を取り付けたものであることから、、第１引用例に記載された発明における「回転ヘッド」が、本願発明における「回転ドラム」、及び「磁気ヘッド」に相当する。
　
　また、第１引用例に記載された発明においても、「回転ヘッド」を有する「ビデオテープレコーダ」が「キヤプスタンモータに起動パルスと制動パルスを交互に供給してテープを間欠駆動」することで間欠スロー再生が行われるものであるから、第１引用例に記載された発明も「磁気記録再生装置の間欠スロー制御装置」と認められる。
　
　第１引用例に記載された発明において、「ヘッドモータ」は「回転ヘッド」を駆動するものであり、さらに、「第２位相制御手段４」、「第２速度制御手段５」、「周期変化検出手段」、「タイミングパルス発生手段」、及び「シリンダドライブ回路６」により回転が制御されており、また、回転の制御は電圧の制御でなされるものであることから、第１引用例に記載された発明における「第２位相制御手段４」、「第２速度制御手段５」、「周期変化検出手段」、「タイミングパルス発生手段」、及び「シリンダドライブ回路６」が、本願発明における「ドラム制御手段」に相当するものと認める。
　
　そして、第１引用例に記載された発明における「シリンダドライブ回路６は、テープ走行起動時に起動タイミングパルスが入力されるとヘッドモータに加速パルスを発生することで回転ヘッドの回転を加速する」とは、キャプスタンモータの起動時に加速パルスによって回転ヘッドの回転を加速するものであり、また、回転を加速するためには駆動するための電圧を増加しなければならないことから、「起動タイミングパルス」によってヘッドモータを駆動するための電圧を大きく設定されているものと認められることから、第１引用例に記載された発明における「シリンダドライブ回路６は、テープ走行起動時に起動タイミングパルスが入力されるとヘッドモータに加速パルスを発生する」が、本願発明における「キャプスタンモータの起動時に、上記ドラム制御手段は上記ドラムを駆動する電圧を大きく設定する」に相当するものと認める。
　　
　そうすると、本願発明と第１引用例に記載された発明とは、次の点で一致する。
（一致点）
　
「キャプスタンモータに起動パルスと制動パルスを交互に供給して磁気テープを間欠駆動し、回転ドラムに取り付けた磁気ヘッドにより映像信号を読み取る磁気記録再生装置の間欠スロー制御装置において、　
　上記回転ドラムを駆動する電圧を制御するドラム制御手段を有し、
　上記キャプスタンモータの起動時に、上記ドラム制御手段は上記ドラムを駆動する電圧を大きく設定することを特徴とする間欠スロー制御装置。」
　
　一方、次の点で相違する。
　
（相違点１）
　キャプスタンモータの起動時にドラム制御手段によって大きく設定される電圧が、本願発明では所定の値であるのに対して、第１引用例に記載された発明ではこのことが特には記載されていない点。
　
　　
４．当審の判断
　
　そこで、上記相違点について検討する。
１）相違点１について
　第２引用例には、間欠スロー再生時におけるキャプスタンモータの起動時に、回転ドラムの駆動電圧を「所定の値」大きく設定し、回転ドラムの回転速度を上げた制御手段が記載されており、また、第２引用例に記載されたものも間欠スロー再生のキャプスタンの起動時の画像の横揺れを防止するためのものであることから、第１引用例に記載された発明における、キャプスタンモータの起動時にドラム制御手段によって大きく設定される電圧として第２引用例に記載された発明を適用して「所定の値」とすることは当業者が容易に想到し得たものである。　
　　
　
５．むすび
　
　以上のとおりであって、本願発明は、上記第１引用例、及び第２引用例に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。